(57)【要約】【課題】  フォロースルー法において、免疫反応を成立させかつ反応結果を目視確認するために、処理の迅速化を目的として、１個又は２個以上の液容器を一つの容器に組み込み、順次容器を切り開いて処理を速やかに進める。【解決手段】  イムノクロマトグラフィー法における測定のための装置であって、測定物質１４を配置する測定部１５を本体内部に設置し、測定物質１４に液体を供給する１個又は２個以上の液容器１７を測定部１５の上位に配置し、本体１１に回転可能に設けた操作部材２０に、上記液容器１７を切り開く突起部３３を設けた構成を有する。１個又は２個以上の液容器１７は、測定部１５に向けて液体を供給するために傾斜させて配置し、そのために、底辺から傾斜した形態を有するものとすることができる。【選択図】          図３
0003108378.tif 000002
【実用新案登録請求の範囲】
【請求項１】
イムノクロマトグラフィー法における測定のための装置であって、測定物質を配置する測定部を本体内部に設置し、測定物質に液体を供給する１個又は２個以上の液容器を測定部の上位に配置し、本体に回転可能に設けた操作部材に、上記液容器を切り開く突起部を設けた構成を有することを特徴とする液容器を内蔵したイムノクロマトグラフィー装置。
【請求項２】
１個又は２個以上の液容器は、測定部に向けて液体を供給するために傾斜させて配置す
る、液容器の傾斜配置部に配置されている請求項１記載の液容器を内蔵したイムノクロマトグラフィー装置。
【請求項３】
１個又は２個以上の液容器は、測定部に向けて液体を供給するために底辺が傾斜した形態を有している請求項１記載の液容器を内蔵したイムノクロマトグラフィー装置。
【請求項４】
操作部材の突起部によって切り開かれる液容器の１面がアルミニウム又はその他の金属箔によって覆われている請求項１記載の液容器を内蔵したイムノクロマトグラフィー装置。
【請求項５】
操作部材は、ヒンジによって結合している回転部分を有し、回転部分に爪状の突起部が設けられている請求項１記載の液容器を内蔵したイムノクロマトグラフィー装置。
【請求項６】
突起部は、操作部材に複数個設けられている請求項１記載の液容器を内蔵したイムノクロマトグラフィー装置。
【請求項７】
突起部の形態を変更することにより、開口形態や開口面積に変化を与え液体の流出時間に差を設けるようにした請求項１記載の液容器を内蔵したイムノクロマトグラフィー装置。
【考案の詳細な説明】
【技術分野】
【０００１】
本考案は、イムノクロマトグラフィー法における測定のための液容器を内蔵したイムノクロマトグラフィー装置に関するものである。
【背景技術】
【０００２】
イムノクロマトグラフィー法は簡便な免疫測定法であり、最近、種々の測定物質即ち感染症の抗原等の被検体の測定に用いられている。イムノクロマトグラフィー法には、１）フォロースルー法と、２）ラテラルフロー法の２種がある。特許文献中、特開平１０−１０４２３６号は被覆部材で覆われた液体吸収容器を有する試験用具を開示しており、また特開昭６３−２２３５５９号のものは試薬及び又はキャリヤ液体をブリスター式に密閉した分析検査板を開示しているが、これらに採用されているのはいずれもラテラルフロー法によるものである。これに対してフォロースルー法において試薬を内蔵する小容器を具えた装置に関する発明法において試薬を内蔵する小容器を具えた装置に関する発明ないし報告は見受けられない。
【０００３】
【特許文献１】特開平１０−１０４２３６号
【特許文献２】特開昭６３−２２３５５９号
【考案の開示】
【考案が解決しようとする課題】
【０００４】
本考案は前記の点に着目してなされたもので、その課題は、フォロースルー法におい
て、免疫反応を成立させかつ反応結果を目視確認するために、処理の迅速化を目的とし
て、１個又は２個以上の液容器を一つの装置に組み込み、順次液容器を開いて処理を速やかに進めることである。フォロースルー法の簡易化のために、金コロイド若しくは着色ラテックス等の担体を用いて反応数を減少することも試みられているが、その場合、検出感度が酵素を用いる方法に比べてやや劣っているので、本考案では酵素を用いる方法に比べて劣らない検出感度を得ることも、その課題の一つである。
【課題を解決するための手段】
【０００５】
前記の課題を解決するため本考案は、イムノクロマトグラフィー法における測定のための装置について、測定物質を配置する測定部を本体内部に設置し、測定物質に液体を供給する１個又は、２個以上の液容器を測定部の上位に配置し、本体に回転可能に設けた操作部材に、上記液容器を切り開く突起部を設けた構成を有するものとするという手段を講じたものである。
【０００６】
本発明におけるイムノクロマトグラフィー装置は、測定物質に対して、１又は２以上の液容器から試薬等の液体を供給するものであり、それによって反応を速やかに進めるという構成を取っている。液容器は、測定部の上位に配置されるから、内部の液体を測定部に対して重力供給することとなり、この作用は２個以上の液容器中の液体について共通である。また、１個又は２個以上の液容器は、測定部に向けて液体を供給するために、傾斜させて配置する、液容器の傾斜配置部に配置することができる（請求項２記載の発明）。これによって、液容器内部の液体を速やかに流出させ、かつ最後まで供給可能となるので、反応の正確性、確実性が約束される。同じ効果は、１個又は２個以上の液容器の底面が傾斜している形態を有していることによっても得ることができる（請求項３記載の考案）。
【０００７】
本考案において、１個又は２個以上の液容器は、使用前の状態では密封されており、これを切り開くことによって内部の液体を取り出すという構成を取る。そのための手段として本考案では、本体に回転可能に設けた操作部材に液容器を切り開くための突起部を設けている。使用前の状態において、液容器は、その１面がアルミニウム又はその他の切開き得る金属箔によって覆われ、密封状態となっているものであることが望まれる（請求項４記載の考案）。これによって、液容器内の液体の品質が保証され、切り開き作業も支障なく行われるようになる。
【０００８】
操作部材は、ヒンジによって結合している回転部を有し、回転部に爪状の突起部を設けることができる（請求項５記載の考案)。回転部は、ヒンジが支点となり、爪状の突起部が作用点、回転部の回転端等任意の部分が力点となる梃子作用によって、突起部を液容器に当接させ、切り開くことが可能となる。この突起部は複数個設けることができるが、複数個とは液容器の個数に合わせて複数個の場合もあれば、１個の液容器について複数個も受けることができるものと考えて良い（請求項６記載の考案)。さらに、突起部の形態を変更することにより、開口形態や開口面積に変化を与え液体の流出時間に差を設けるようにすることも可能である。（請求項７記載の考案）。いずれの場合にせよ、突起部によって切り開かれる液容器の開口は、内部の液体を必要量、確実に流出させることができるように設けられることが望ましい。
【考案の効果】
【０００９】
本考案は以上の如く構成されかつ作用するものであるから、１個又は２個以上の液容器から液体を測定物質に順次供給することができ、それによって反応を速やかに進められ、フォロースルー法であるから、酵素を用いる方法に比べて劣らない検出感度を得ることができる等、顕著な効果を奏する。
【考案を実施するための最良の形態】
【００１０】
以下図示の実施形態を参照しながら本考案をより詳細に説明する。図１は本考案に係る液容器を内蔵したイムノクロマトグラフィー装置１０の使用前の外観図、図３は分解図、図４は使用状態の外観図である。
【００１１】
各図において、１１はハウジング状の本体を示しており、上下２部分１２、１３から成る。本体下部分１３には、後述する測定物質１４を配置する測定部１５が凹状に設けられている。測定部１５の上方の本体上部分１２には窓部１６が開口しており、その後方に
は、液容器１７を配置する傾斜配置部１８が設けられており、傾斜配置部１５は底面が測定部１５に向かって傾斜し、かつ前端にて測定部１５と通じている。本体上部分１２の上部は平坦な面１９になっており（図３）、その後側に、操作部材２０の取り付け部２１が取り付けられるようになっている。取り付け部２１は下面の左右に係合用のフック２２、２２を有しており、それを、本体上部分１２の面１９の左右に形成されている係合用の孔２３、２３に嵌め込んで、取り付け部２１にて本体上部分１２に操作部材２０を取り付ける構成になっている。
【００１２】
例示されている測定物質１４は、メンブレム２４の上に置かれ、メンブレム２４は、コンジュゲートパッド２５を介して吸収体２６に層状に重ねられた構造となっている。測定物質１４は層状構造で支えられた状態で、浅い皿状に形成されている測定部１５に配置され、それに向かって底面が傾斜した状態に置かれている液容器１７が、境界のストッパー２７によって止められた状態で配置される。例示されている液容器１７は２個の独立した容器部分を有するタイプであり、夫々の容器部分の正面にはアルミニウム箔から成る密封部２８、２８が設けられており、各容器部分に密封されている試薬等の液体を、後述する手法により切り開き得るように保っている。
【００１３】
操作部材２０は、全体として本体１１の上面を覆うように設けられ、ヒンジ部２９によって取り付け部２１と結合している回転部３１を有しており、そのため回転部３１には、測定部１５に向かい、かつ、本体上部分１２の窓部１６に入り込む筒状開口３２が形成されている。そして、ヒンジ部２９、２９の中間部分に、ヒンジ部２９の軸線を後方に越えて突出する突起部３３が設けられている。例示した突起部３３は、液容器１７の個数に合わせて複数個設けた例であり、鋭利な先端を有している。なお、回転部３１の前端には本体係合部３４との係合、離脱が可能な係合片３５を設けている。
【００１４】
使用するには、本体１１の測定部１５に、吸収帯２６、コンジュゲートパッド２５、測定物質１４を配置したメンブレム２４を置き、液容器１７を配置部１８にセットし、操作部材２０を一体に有している本体上部分１２をかぶせると、本考案に係る装置１０の使用準備を完了する。その状態から操作部材回転部３１の係合を外し、図４、図５に示すように前端を上に回転させることによって、突起部３３、３３を液容器１７の密封部２８、２８に押し当てるものとする。そのとき、突起部３３、３３の尖端は密封部２８、２８を上から下へ切り開くことになり、尖端の形態に応じた形状及び開口面積の開口３６、３６を形成し、内部の液体を流出させ、測定部１５の測定物質１４に向かわせる。このようにして２個の液容器から液体を測定物質１４に供給するので、免疫反応等の処理を速やかに進められる。またフォロースルー法を実施するものであるから検出感度も良好である。
【産業上の利用可能性】
【００１５】
病気の診断、特に高感度を要求される、例えば肝炎ウイルス、アデノウイルス、インフルエンザウイルスなどの体外診断薬、或いはまた特には高感度を要求されないホルモン、ガンマーカーなどの検出に利用可能である。
【図面の簡単な説明】
【００１６】
【図１】本考案に係る液容器を内蔵したイムノクロマトグラフィー装置の１実施例を示す斜視図。
【図２】同上装置の中央縦断面図。
【図３】図１の装置の分解斜視図。
【図４】同じく使用状態を示す斜視図。
【図５】図４の状態の図２と同様の断面図。
【符号の説明】
【００１７】
１０  イムノクロマトグラフィー装置
１１  本体
１２、１３  上部分、下部分
１４  測定物質
１５  測定部
１７  液容器
１８  配置部
２０  操作部材
２１  取り付け部
２４  メンブレム
２８  密封部
２９  ヒンジ部
３１  回転部
３３  突起部
【図１】
0003108378.tif 000003
【図２】
0003108378.tif 000004
【図３】
0003108378.tif 000005
【図４】
0003108378.tif 000006
【図５】
0003108378.tif 000007